(57)【要約】【課題】  アンテナによる電波の受信効率を高めることができる電波時計を提供する。【解決手段】  上部に時計ガラス２が取り付けられて下部に金属製の裏蓋３が取り付けられた金属製の腕時計ケース１に、時計ガラス２側の上部の肉厚が最も薄い薄肉部１１を形成し、この薄肉部１１にアンテナ６のコア１０の両端部１０ａを対応させた。従って、電波の磁束が腕時計ケース１を透過する際、腕時計ケース１の上部側を透過して腕時計ケース１内に進入する磁束が下部側よりも多く、且つ薄肉部１２によって腕時計ケース１の上部側を透過する磁束を増大させることができる。このため、腕時計ケース１および裏蓋３を金属で形成しても、腕時計ケース１の上部側を透過して腕時計ケース１内に進入する磁束によって、腕時計ケース１内のアンテナ６による電波の受信効率を高めることができる。【選択図】        図１
2008203063.tif 000002
【特許請求の範囲】
【請求項１】
上部に時計ガラスが取り付けられて下部に金属製の裏蓋が取り付けられた金属製の時計ケースと、この時計ケース内に配置されてコアにコイルを巻き付けたアンテナとを備えた電波時計において、
前記時計ケースに、少なくとも前記時計ガラス側に位置する上部の肉厚が最も薄い薄肉部を形成し、この薄肉部に前記アンテナの前記コアの両端部を対応させたことを特徴とする電波時計。
【請求項２】
前記アンテナは、前記コアの両端部が前記時計ケースの前記薄肉部の上部側に向けて折り曲げられていることを特徴とする請求項１に記載の電波時計。
【請求項３】
前記時計ケースの前記薄肉部の内面には、絶縁性を有する高強度の補強部材が設けられていることを特徴とする請求項１または２に記載の電波時計。
【請求項４】
前記アンテナは、前記コアの両端部を前記補強部材に接近させた状態で、前記時計ケース内に配置されていることを特徴とする請求項３に記載の電波時計。
【請求項５】
前記アンテナは、前記コアの両端部を前記補強部材の内部に挿入させた状態で、前記時計ケース内に配置されていることを特徴とする請求項３に記載の電波時計。
【発明の詳細な説明】
【技術分野】
【０００１】
この発明は、アンテナを内蔵した電波時計に関する。
【背景技術】
【０００２】
従来、電子腕時計などの電子時計においては、標準時刻電波で送信される時刻情報をアンテナで受信して時刻を修正する電波時計が知られている。
このような電波時計では、アンテナを内蔵する時計ケースを金属で形成しても、標準時刻電波の受信性能を確保するために、特許文献１に記載されているように、金属製の裏蓋に肉厚の薄い薄肉部をアンテナに対応させて形成することにより、金属製の裏蓋による標準時刻電波の磁束の遮蔽を軽減するように構成したものがある。
【特許文献１】特開２００４−３４７５５２号
【発明の開示】
【発明が解決しようとする課題】
【０００３】
しかしながら、このような従来の電波時計では、裏蓋が金属製であるから、標準時刻電波の磁束が時計ケースを透過するときに、裏蓋側に位置する時計ケースの下部側を透過する磁束が、時計ガラス側に位置する時計ケースの上部側に比べて少なく、このためアンテナで電波を効率良く受信することができず、アンテナの受信効率が不充分であるという問題がある。
【０００４】
この発明が解決しようとする課題は、アンテナによる電波の受信効率を十分に高めることができる電波時計を提供することである。
【課題を解決するための手段】
【０００５】
この発明は、上記課題を解決するために、次のような構成要素を備えている。
請求項１に記載の発明は、上部に時計ガラスが取り付けられて下部に金属製の裏蓋が取り付けられた金属製の時計ケースと、この時計ケース内に配置されてコアにコイルを巻き付けたアンテナとを備えた電波時計において、
前記時計ケースに、少なくとも前記時計ガラス側に位置する上部の肉厚が最も薄い薄肉部を形成し、この薄肉部に前記アンテナの前記コアの両端部を対応させたことを特徴とする電波時計である。
【０００６】
請求項２に記載の発明は、前記アンテナが、前記コアの両端部を前記時計ケースの前記薄肉部の上部側に向けて折り曲げた構成であることを特徴とする請求項１に記載の電波時計である。
【０００７】
請求項３に記載の発明は、前記時計ケースの前記薄肉部の内面に、絶縁性を有する高強度の補強部材が設けられていることを特徴とする請求項１または２に記載の電波時計である。
【０００８】
請求項４に記載の発明は、前記アンテナが、前記コアの両端部を前記補強部材に接近させた状態で、前記時計ケース内に配置されていることを特徴とする請求項３に記載の電波時計である。
【０００９】
請求項５に記載の発明は、前記アンテナが、前記コアの両端部を前記補強部材の内部に挿入させた状態で、前記時計ケース内に配置されていることを特徴とする請求項３に記載の電波時計である。
【発明の効果】
【００１０】
この発明によれば、電波の磁束が金属製の時計ケースを透過する際、時計ガラス側に位置する時計ケースの上部側を透過して時計ケース内に進入する磁束が、金属製の裏蓋側に位置する時計ケースの下部側に比べて多いことに着目すると共に、時計ケースに時計ガラス側の上部の肉厚が最も薄く形成された薄肉部によって、時計ケースの上部側を透過する磁束を増大させることができる。
【００１１】
このため、時計ケースを透過した磁束をアンテナで捉えやすくすることができ、時計ケースおよび裏蓋を金属で形成しても、アンテナによる電波の受信効率を高めることができる。また、腕時計ケース１の薄肉部１２における電気抵抗が高くなることにより、アンテナのコイルに誘起電流が流れるときに、薄肉部に渦電流が発生するのを抑え、コイルに発生する誘起電流の損失を軽減することができ、これによってもアンテナによる電波の受信効率を高めることができる。このため、時計全体が金属調の外観を確保して高級感を維持したまま、アンテナの受信感度を十分に高めることができる。
【発明を実施するための最良の形態】
【００１２】
（実施形態１）
以下、図１〜図４を参照して、この発明を電子腕時計に適用した実施形態１について説明する。
この電子腕時計は、図１に示すように、腕時計ケース１を備えている。この腕時計ケース１は、チタンやステンレスなどの金属によって、内部が中空で上下に開放された空洞状に形成されている。この腕時計ケース１の上部には、時計ガラス２が取り付けられており、この腕時計ケース１の下部には、金属製の裏蓋３が取り付けられている。また、この腕時計ケース１の内部には、時計モジュール４が設けられている。
【００１３】
時計モジュール４は、図１に示すように、時計ムーブメント５およびアンテナ６などの時計機能に必要な各種の電子部品を備えている。時計ムーブメント５は、その指針軸７が文字板８の上方に突出し、この突出した指針軸７の先端に時針や分針などの指針９が取り付けられ、この指針９が文字板８の上方を運針することにより、時刻を指示するように構成されている。この場合、文字板８は、合成樹脂からなり、その上面における周縁部に時字（図示せず）が等間隔で設けられ、時計ガラス２の下面に対応した状態で腕時計ケース１内の上部側に設けられている。
【００１４】
アンテナ６は、高透磁率のコア１０の外周にコイル１１を巻き付け、コア１０に電波の磁束が透過すると、コイル１１に誘起電流が発生するように構成されている。この場合、アンテナ６は、図１に示すように、文字板８よりも下側に位置する腕時計ケース１内の底部側に配置され、コア１０の両端部１０ａ（図１では片側のみを示す）が腕時計ケース１内の上部側つまり時計ガラス２の外周側に向けて斜め上方に折り曲げられた構成になっている。また、このアンテナ６は、腕時計ケース１内における３時側または９時側に配置されており、３時側に配置されている場合には、コア１０の両端部１０ａが２時付近と４時付近に位置し、９時側に配置されている場合には、コア１０の両端部１０ａが８時付近と１０時付近に位置する。
【００１５】
ところで、腕時計ケース１には、図１に示すように、時計ガラス２側に位置する上部の肉厚が最も薄い薄肉部１２が形成されている。この薄肉部１２は、腕時計ケース１の上部側における肉厚が腕時計ケース１の全周に亘って最も薄く、腕時計ケース１の下部側における肉厚が全周に亘って次第に厚くなるように、腕時計ケース１の内周面をテーパ状に削り取ることによって形成されている。また、この薄肉部１２の内周面には、補強部材１３が設けられており、この補強部材１３の上部には、時計ガラス２が取り付けられている。
【００１６】
補強部材１３は、絶縁性を有する高強度の合成樹脂からなり、その上部側における肉厚が腕時計ケース１の全周に亘って最も厚く、腕時計ケース１の下部側における肉厚が腕時計ケース１の全周に亘って次第に薄くなるように、薄肉部１２の内周面に設けられ、これにより腕時計ケース１の内周面におけるテーパ状に削り取られた部分を埋めるように形成されている。これにより、補強部材１３は、腕時計ケース１の薄肉部１２を補強して腕時計ケース１全体の強度を確保するように構成されている。
【００１７】
この場合、アンテナ６は、そのコア１０の両端部１０ａが腕時計ケース１に形成された薄肉部１２に対応し、且つその薄肉部１２の上部に向けて折り曲げられた状態で、腕時計ケース１内における３時側または９時側に配置されている。なお、この腕時計ケース１の上部外周には、ベゼル１４が取り付けられている、このベゼル１４は、補強部材１３と同様、絶縁性が高く高強度の合成樹脂からなり、腕時計ケース１の上部外周を装飾するように構成されている。
【００１８】
このような電子腕時計では、上部に時計ガラス２が取り付けられて下部に金属製の裏蓋３が取り付けられた金属製の腕時計ケース１を標準時刻電波の磁束が透過する際、絶縁性を有する時計ガラス２側に位置する腕時計ケース１の上部側を透過して腕時計ケース１内に進入する磁束が、金属製の裏蓋３側に位置する腕時計ケース１の下部側に比べて多く、しかも腕時計ケース１に時計ガラス２側の上部の肉厚が最も薄い薄肉部１２が形成されていることにより、腕時計ケース１の上部側を透過する磁束が増大し、この増大した磁束をアンテナ６のコア１０で捉えやすくし、これによりアンテナ６の受信性能を高めている。
【００１９】
すなわち、腕時計ケース１は、その上部に時計ガラス２が補強部材１３によって設けられ、腕時計ケース１の下部に金属製の裏蓋３が設けられていることにより、図２に示すように、標準時刻電波の磁束が腕時計ケース１を透過する際、一般に、時計ガラス２が金属でなく絶縁性を有しているため、この時計ガラス２側に位置する腕時計ケース１の上部側を透過して腕時計ケース１内に進入する磁束が、金属製である裏蓋３側に位置する腕時計ケース１の下部側に比べて多い。また、金属製の腕時計ケース１に上部の肉厚が最も薄い薄肉部１２を形成したことにより、この薄肉部１２により腕時計ケース１の上部側の透磁性が高くなり、腕時計ケース１の上部側を透過する磁束が更に多くなる。
【００２０】
例えば、腕時計ケース１をチタンで形成した場合、その肉厚が薄くなるのに従って次第に透磁率が高くなる。すなわち、電波の透過性は金属の表皮深さに依存し、チタンにおける厚みと電波の透過率との関係は、図４に示すように、電波の周波数が４０ｋＨｚと６０ｋＨｚとにおいて、チタンの厚みが厚くなるのに従って次第に磁束の透過率が低下し、透過率が０．３７のときに、周波数が４０ｋＨｚと６０ｋＨｚとの表皮深さが、それぞれ約１．８７ｍｍと約１．５２ｍｍである。
【００２１】
これに基づいて、腕時計ケース１の材質としてチタンを用い、その厚みを約３ｍｍで形成した腕時計ケース１において、この腕時計ケース１内に配置されたアンテナ６が電波を受信している状態をシミュレーションすると、図２および図３に示すような結果が得られた。この場合、図２は、腕時計ケース１に薄肉部１２を形成した実施形態１の場合であり、図３は、腕時計ケース１に薄肉部１２を設けない従来例の場合である。また、この図２および図３は、４０ｋＨｚの標準電波をアンテナ６が受信しているときに腕時計ケース１の内外における磁界の様子を磁界ベクトルで示したシミュレーション結果の図である。
【００２２】
すなわち、図２に示す実施形態１のシミュレーション結果の場合は、４０ｋＨｚの標準電波におけるチタンの表皮深さが約１．８７ｍｍであることにより、標準電波の磁束が腕時計ケース１に対しほぼ水平に進入して腕時計ケース１内をほぼ水平に透過し、この透過した磁束のうち、腕時計ケース１の上部側を透過した磁束はほぼそのままアンテナ６のコア１０の端部１０ａに集中するが、腕時計ケース１の下部側を透過した磁束は、そのほとんどが裏蓋３に沿って進み、腕時計ケース１内への進入が少ないことがわかる。
【００２３】
また、図３に示す従来例のシミュレーション結果の場合は、４０ｋＨｚの標準電波におけるチタンの表皮深さが約１．８７ｍｍであることにより、標準電波の磁束が腕時計ケース１に対し斜め下方から進入して腕時計ケース１内を斜め上方に向けて透過し、この透過した磁束のうち、腕時計ケース１の上部側を透過した磁束は斜め上方に進んだ後、アンテナ６のコア１０の端部１０ａに向けて斜め下方に回り込んで集中するが、腕時計ケース１の下部側を透過した磁束は、そのほとんどが裏蓋３に沿って進み、腕時計ケース１内への進入が少ないことがわかる。
【００２４】
この図２および図３に示されたシミュレーション結果を比較すると、図２に示す実施形態１の場合では、アンテナ６が標準電波を受信する際の最適な状態は、標準電波の磁束が腕時計ケース１をほぼ水平に透過すると共に、腕時計ケース１の上部側を透過して腕時計ケース１内に進入した磁束がほぼそのままアンテナ６のコア１０の端部１０ａに集中する。これに対して、図３に示す従来例の場合では、アンテナ６が標準電波を受信する際の最適な状態は、標準電波の磁束が腕時計ケース１を斜め下方から透過すると共に、腕時計ケース１の上部側を透過して腕時計ケース１内に進入する磁束が腕時計ケース１の斜め上方に向けて進んだ後、斜め下方に向けて回り込んでアンテナ６のコア１０の端部１０ａに集中する。
【００２５】
このため、腕時計ケース１を透過して腕時計ケース１内に進入する標準電波の磁束は、図２に示す薄肉部１２を設けた実施形態１の場合の方が、アンテナ６で標準電波を受信する際に腕時計ケース１をほぼ水平に透過する磁束を捉えているので、薄肉部１２を設けていない図３に示す従来例の場合に比べて、腕時計ケース１内への磁束の進入効率良く、図２に示す実施形態１の透磁率が図３に示す従来例よりも高いことがわかる。
【００２６】
このように、この電子腕時計によれば、上部に時計ガラス２が取り付けられて下部に金属製の裏蓋３が取り付けられた金属製の腕時計ケース１を標準時刻電波の磁束が透過する際、絶縁性を有する時計ガラス２側に位置する腕時計ケース１の上部側を透過して腕時計ケース１内に進入する磁束が、金属製の裏蓋３側に位置する腕時計ケース１の下部側に比べて多く、しかも腕時計ケース１に時計ガラス２側の上部の肉厚が最も薄い薄肉部１２が形成されていることにより、腕時計ケース１の上部側を透過する磁束を増大させることができる。
【００２７】
このため、腕時計ケース１の上部側を通過した磁束を透磁率の高いアンテナ６のコア１０で捉えやすくすることができ、これにより腕時計ケース１および裏蓋３を金属で形成しても、時計ガラス２側に位置する腕時計ケース１の薄肉部１２を透過する磁束によって、アンテナ６による電波の受信効率を高めることができる。特に、腕時計ケース１の薄肉部１２における電気抵抗が高くなることにより、アンテナ６のコイル１１に誘起電流が流れるときに、薄肉部１２に渦電流が発生するのを抑え、コイル１１に発生する誘起電流の損失をも軽減することができ、これによってもアンテナ６による電波の受信効率を高めることができる。このため、時計全体が金属調の外観を確保して高級感を維持したまま、アンテナ６の受信感度を十分に高めることができる。
【００２８】
また、この電子腕時計では、アンテナ６がコア１０の両端部１０ａを腕時計ケース１に形成された薄肉部１２の上部に向けて斜め上方に折り曲げた構成であるから、腕時計ケース１の上部側を透過した電波の磁束を効率良くアンテナ６のコア１０の両端部１０ａに集中させることができ、これによりアンテナ６による電波の受信効率を、より一層、高めることができ、アンテナ６の受信感度を向上させることができる。
【００２９】
さらに、この電子腕時計では、腕時計ケース１に形成された薄肉部１２に絶縁性を有する高強度の補強部材１３が設けられているので、腕時計ケース１に肉厚の薄い薄肉部１２を形成しても、補強部材１２によって磁束の透過を妨げることなく、腕時計ケース１の薄肉部１２を強固に補強することができ、これにより腕時計ケース１の強度を十分に確保することができる。
【００３０】
（実施形態２）
次に、図５を参照して、この発明を適用した電子腕時計の実施形態２について説明する。なお、図１〜図４に示された実施形態１と同一部分には同一符号を付して説明する。
この電子腕時計は、アンテナ２０の構成が実施形態１と異なる構成であり、これ以外は実施形態１とほぼ同じ構成になっている。すなわち、このアンテナ２０は、図５に示すように、コア部２１が第１、第２コア２２、２３を上下に重ね合わせた構成で、このコア部２１にコイル１１を巻き付けることにより、実施形態１と同様、コア部２１に電波の磁束が通過すると、コイル１１に誘起電流が発生するように構成されている。
【００３１】
この場合、コア部２１の上側に位置する第１コア２２は、図５に示すように、その両端部２２ａ（図５では片側のみを示す）が腕時計ケース１に形成された薄肉部１２の上部側に向けて斜め上方に折り曲げられ、この折り曲げられた両端部２２ａが腕時計ケース１の薄肉部１２における補強部材１３の上部側に接近するように構成されている。また、コア部２１の下側に位置する第２コア２３は、その両端部２３ａ（図５では片側のみを示す）が腕時計ケース１の内面に向けてほぼ水平に延出され、この延出された両端部２３ａが腕時計ケース１の薄肉部１２における補強部材１３の下部側に接近するように構成されている。
【００３２】
このような電子腕時計においても、実施形態１と同様の作用効果があるほか、特にアンテナ２０のコア部２１が第１、第２コア２２、２３を上下に重ね合わせた構成で、且つ第１コア２２の両端部２２ａが腕時計ケース１に形成された薄肉部１２の上部側に向けて斜め上方に折り曲げられ、第２コア２３の両端部２３ａが腕時計ケース１の内面に向けてほぼ水平に延出されているので、第１、第２コア２２、２３の各両端部２２ａ、２３ａが所定角度で開いている分だけ、腕時計ケース１の上部側を透過した電波の磁束を効率良くアンテナ２０のコア部２１で捉えることができ、これによりアンテナ２０による電波の受信効率を、実施形態１よりも、更に高めることができる。
【００３３】
この場合、アンテナ２０は、そのコア部２１の上側に位置する第１コア２２の両端部２２ａが腕時計ケース１の薄肉部１２に設けられた補強部材１３の上部側に接近した状態で、腕時計ケース１内に配置されているので、腕時計ケース１の上部側を透過した電波の磁束を効率良くアンテナ２０のコア部２１における第１コア２２の両端部２２ａで捉えることができ、これによってもアンテナ２０による電波の受信効率を高めることができる。
【００３４】
（実施形態３）
次に、図６を参照して、この発明を適用した電子腕時計の実施形態３について説明する。この場合にも、図１〜図４に示された実施形態１と同一部分に同一符号を付して説明する。
この電子腕時計は、アンテナ３０のコア３１の両端部３１ａ（図６では片側のみを示す）を腕時計ケース１の薄肉部１２に設けられた補強部材１３内に挿入させた構成であり、これ以外は実施形態１とほぼ同じ構成になっている。
【００３５】
すなわち、このアンテナ３０は、実施形態１と同様、透磁性の高いコア３１の外周にコイル１１を巻き付け、コア３１に電波の磁束が透過すると、コイル１１に誘起電流が発生するように構成されている。この場合、アンテナ３０は、図６に示すように、文字板８よりも下側に位置する腕時計ケース１内の底部側に配置され、コア３１の両端部３１ａ（図６では片側のみを示す）が腕時計ケース１の薄肉部１２に設けられた補強部材１３に向けて斜め上方に折り曲げられ、この折り曲げられた両端部３１ａが補強部材１３内に斜め下側から食い込んで挿入された状態で、腕時計ケース１内に配置されている。
【００３６】
このような電子腕時計によれば、実施形態１と同様に作用効果があるほか、アンテナ３０のコア３１の両端部３１ａを腕時計ケース１の薄肉部１２に設けられた補強部材１３に斜め下側から食い込ませて挿入した状態で、アンテナ３０が腕時計ケース１内に配置されているので、腕時計ケース１の上部側を透過した電波の磁束を、実施形態１よりも更に効率良く、アンテナ３０のコア３１の両端部３１ａで捉えることができ、これにより、より一層、アンテナ３０による電波の受信効率を高めることができる。
【００３７】
なお、上記実施形態３では、アンテナ３０のコア３１の両端部３１ａが腕時計ケース１の薄肉部１２に設けられた補強部材１３内に斜め下側から挿入した場合について述べたが、これに限らず、例えば図７に示す変形例のように、アンテナ３０のコア３３の両端部３３ａ（図７では片側のみを示す）を腕時計ケース１の薄肉部１２に設けられた補強部材１３の上部に向けて折り曲げ、この折り曲げられた両端部３３ａを補強部材１３の上部にほぼ直角に食い込ませて挿入した構成でも良い。
【００３８】
このように構成すれば、アンテナ３０のコア３３の両端部３３ａを補強部材１３内に挿入させても、図７に示すように、コア３１の両端部３３ａの各先端部分（図７では片側のみを示す）を、実施形態３よりも腕時計ケース１の薄肉部１２の金属部分から、十分に離すことができ、これによりアンテナ３０のコイル１１に誘起電流が流れるときに、薄肉部１２に渦電流が発生するのを抑え、コイル１１に発生する誘起電流の損失を軽減することができるので、実施形態３よりもアンテナ３０による電波の受信効率を高めることができる。
【００３９】
（実施形態４）
次に、図８を参照して、この発明を適用した電子腕時計の実施形態４について説明する。この場合にも、図１〜図４に示された実施形態１と同一部分に同一符号を付して説明する。
この電子腕時計は、腕時計ケース１に薄肉部４０が実施形態１と異なる形状に形成された構成であり、これ以外は実施形態１とほぼ同じ構成になっている。
【００４０】
すなわち、この薄肉部４０は、図８に示すように、腕時計ケース１における時計ガラス２側の上部の肉厚が全周に亘って最も薄く、腕時計ケース１の下部側の肉厚が全周に亘って次第に厚くなるように、腕時計ケース１の内周面を階段状に削り取った形状に形成されている。この場合にも、薄肉部４０の内周面には、絶縁性を有する高強度の合成樹脂からなる補強部材１３が設けられている。
【００４１】
この補強部材１３は、その上部側における肉厚が腕時計ケース１の全周に亘って最も厚く、腕時計ケース１の下部側における肉厚が全周に亘って次第に薄くなるように、薄肉部４０の内周面に設けられ、これにより腕時計ケース１の内周面における階段状に削り取られた部分を埋めるように構成されている。また、アンテナ６は、実施形態１と同様、コア１０の両端部１０ａが腕時計ケース１の薄肉部４０の上部に向けて折り曲げられ、この折り曲げられた両端部１０ａが補強部材１３に接近した状態で、腕時計ケース１内に配置されている。
【００４２】
このような電子腕時計においても、腕時計ケース１における時計ガラス２側の上部の肉厚が最も薄く、腕時計ケース１の下部側の肉厚が次第に厚くなるように、腕時計ケース１の内周面を階段状に削り取ることにより、腕時計ケース１に薄肉部４０を設け、この薄肉部４０の内周面に補強部材１３を設けているので、実施形態１と同様の作用効果がある。
【００４３】
（実施形態５）
次に、図９を参照して、この発明を適用した電子腕時計の実施形態５について説明する。この場合にも、図１〜図４に示された実施形態１と同一部分に同一符号を付して説明する。
この電子腕時計は、腕時計ケース１に薄肉部４１が実施形態１と異なる形状に形成された構成であり、これ以外は実施形態１とほぼ同じ構成になっている。
【００４４】
すなわち、この薄肉部４１は、図９に示すように、腕時計ケース１における上部側の肉厚がほぼ円筒形状に最も薄く形成され、腕時計ケース１の下部側の肉厚が全周に亘って緩やかに湾曲して次第に厚くなるように、腕時計ケース１の内周面を削り取った形状に形成されている。この場合にも、薄肉部４１の内周面には、絶縁性を有する高強度の合成樹脂からなる補強部材１３が設けられている。
【００４５】
この補強部材１３は、その上部側における肉厚がほぼ円筒形状に最も厚く、腕時計ケース１の下部側における肉厚が全周に亘って緩やかに湾曲して次第に薄くなるように、薄肉部４１の内周面に設けられ、これにより腕時計ケース１の内周面を削り取った形状の部分を埋めるように構成されている。また、アンテナ６は、実施形態１と同様、コア１０の両端部１０ａが腕時計ケース１の薄肉部４１の上部に向けて折り曲げられ、この折り曲げられた両端部１０ａが補強部材１３に接近した状態で、腕時計ケース１内に配置されている。
【００４６】
このような電子腕時計においても、実施形態１と同様の作用効果があるほか、腕時計ケース１における上部側の肉厚がほぼ円筒形状に薄く形成され、腕時計ケース１の下部側の肉厚が緩やかに湾曲して次第に厚くなるように、腕時計ケース１の内周面を削り取ることにより、腕時計ケース１に薄肉部４１を設けたので、腕時計ケース１の上部側を透過する磁束を実施形態１よりも更に増大させることができ、これにより、より一層、アンテナ６の受信効率を高めることができる。
【００４７】
（実施形態６）
次に、図１０を参照して、この発明を適用した電子腕時計の実施形態６について説明する。この場合にも、図１〜図４に示された実施形態１と同一部分に同一符号を付して説明する。
この電子腕時計は、腕時計ケース１に薄肉部４２が実施形態１と異なる形状に形成された構成であり、これ以外は実施形態１とほぼ同じ構成になっている。
【００４８】
すなわち、この薄肉部４２は、図９に示すように、腕時計ケース１における時計ガラス２側の上部から裏蓋３側の下部に亘って肉厚がほぼ円筒形状に薄くなるように、腕時計ケース１の内周面をほぼ円筒状に削り取った形状に形成されている。この場合にも、薄肉部４２の内周面には、絶縁性を有する高強度の合成樹脂からなる補強部材１３が設けられている。
【００４９】
この補強部材１３は、腕時計ケース１における時計ガラス２側の上部から裏蓋３側の下部に亘って肉厚がほぼ円筒形状に厚くなるように、腕時計ケース１の内周面におけるほぼ円筒状に削り取った部分を埋めるように構成されている。また、アンテナ６は、実施形態１と同様、コア１０の両端部１０ａが腕時計ケース１の薄肉部４２の上部に向けて折り曲げられ、この折り曲げられた両端部１０ａが補強部材１３に接近した状態で、腕時計ケース１内に配置されている。
【００５０】
このような電子腕時計においても、実施形態１と同様の作用効果があるほか、腕時計ケース１における時計ガラス２側の上部から裏蓋３側の下部に亘って肉厚がほぼ円筒形状に薄くなるように、腕時計ケース１の内周面をほぼ円筒状に削り取ることにより、腕時計ケース１の上部から下部に亘って、厚みが薄い同じ肉厚の薄肉部４２を設けたので、実施形態１よりも腕時計ケース１を透過する磁束を、より一層、増大させることができ、これによりアンテナ６の受信効率を更に高めることができる。
【００５１】
なお、上記実施形態４〜６では、コア１０にコイル１１を巻き付けたアンテナ６を用いた場合について述べたが、これに限らず、例えば図５に示した実施形態２のように、第１、第２コア２２、２３を重ね合わせたコア部２１にコイル１１を巻き付けたアンテナ２０を用いも良く、また図６に示した実施形態３および図７に示した変形例のように、アンテナ３０のコア３１、３３の各両端部３１ａ、３３ａを補強部材１３内に挿入させた状態で、アンテナ３０を腕時計ケース１内に配置しても良い。
【００５２】
また、上記実施形態１〜６では、薄肉部１２、４０〜４２を腕時計ケース１の内周面における全周に亘って設けた場合について述べたが、これに限らず、例えばアンテナ６、２０、３０の各コア１０、３１、３３（またはコア部２１の第１、第２コア２２、２３）の両端部１０ａ、３１ａ、３３ａ（または２２ａ、２３ａ）に対応する箇所のみに薄肉部１２、４０〜４２を設けた構成でも良い。例えば、アンテナ６、２０、３０が３時側に配置されている場合には、２時付近と４時付近に設ければ良く、またアンテナ６、２０、３０が９時側に配置されている場合には、８時付近と１０時付近に設ければ良い。このように構成しても、実施形態１〜６と同様の作用効果がある。
【００５３】
さらに、上記実施形態１〜６およびその変形例では、電子腕時計に適用した場合について述べたが、これに限らず、例えばトラベルウオッチ、目覚まし時計、置き時計、掛け時計などの各種の時計に広く適用することができる。
【図面の簡単な説明】
【００５４】
【図１】この発明を適用した電子腕時計の実施形態１を示した要部の拡大断面図である。
【図２】図１の腕時計ケースにおいてアンテナが電波を受信しているときの磁界の様子を磁界ベクトルで示したシミュレーションの図である。
【図３】腕時計ケースに薄肉部が設けていない従来例の腕時計ケースにおいてアンテナが電波を受信しているときの磁界の様子を磁界ベクトルで示したシミュレーションの図である。
【図４】図１の腕時計ケースに用いられるチタンにおける厚みと電波の透過率との関係を示した図である。
【図５】この発明を適用した電子腕時計の実施形態２を示した要部の拡大断面図である。
【図６】この発明を適用した電子腕時計の実施形態３を示した要部の拡大断面図である。
【図７】この発明の実施形態３の変形例を示した要部の拡大断面図である。
【図８】この発明を適用した電子腕時計を概略的に示した実施形態４の断面図である。
【図９】この発明を適用した電子腕時計を概略的に示した実施形態５の断面図である。
【図１０】この発明を適用した電子腕時計を概略的に示した実施形態６の断面図である。
【符号の説明】
【００５５】
１  腕時計ケース
２  時計ガラス
３  裏蓋
４  時計モジュール
５  時計ムーブメント
６、２０、３０  アンテナ
８  文字板
１０、３１、３３  コア
１０ａ、３１ａ、３３ａ  コアの両端部
１１  コイル
１２  薄肉部
１３  補強部材
２１  コア部
２２  第１コア
２２ａ  第１コアの両端部
２３  第２コア
２３ａ  第２コアの両端部
４０〜４２  薄肉部
【図１】
2008203063.tif 000003
【図２】
2008203063.tif 000004
【図３】
2008203063.tif 000005
【図４】
2008203063.tif 000006
【図５】
2008203063.tif 000007
【図６】
2008203063.tif 000008
【図７】
2008203063.tif 000009
【図８】
2008203063.tif 000010
【図９】
2008203063.tif 000011
【図１０】
2008203063.tif 000012